(57)【要約】  映像／音声が出力され始めるまでの時間を短縮する。シンク機器に映像データを送信する映像データ処理装置であって、ログ情報を生成するログ生成部と、前記シンク機器が表示可能な映像のフォーマットを示すシンク機器情報を前記シンク機器から受信し、格納するメモリと、前記シンク機器に格納されたログ情報を受信するログ受信部と、前記ログ生成部が生成したログ情報と前記シンク機器に格納されたログ情報とが一致するか否かを判定するログ比較部と、前記ログ生成部が生成したログ情報を前記シンク機器に送信するログ送信部とを有する。前記ログ比較部で一致すると判定された場合には、前記メモリ内の前記シンク機器情報に従って前記シンク機器に映像データを送信する。
2010007751.tif 000002
【特許請求の範囲】
【請求項１】
シンク機器に映像データを送信する映像データ処理装置であって、
ログ情報を生成するログ生成部と、
前記シンク機器が表示可能な映像のフォーマットを示すシンク機器情報を前記シンク機器から受信し、格納するメモリと、
前記シンク機器に格納されたログ情報を受信するログ受信部と、
前記ログ生成部が生成したログ情報と前記シンク機器に格納されたログ情報とが一致するか否かを判定するログ比較部と、
前記ログ生成部が生成したログ情報を前記シンク機器に送信するログ送信部とを備え、
前記ログ比較部で一致すると判定された場合には、前記メモリ内の前記シンク機器情報に従って前記シンク機器に映像データを送信する
ことを特徴とする映像データ処理装置。
【請求項２】
請求項１に記載の映像データ処理装置において、
前記ログ生成部は、
当該映像データ処理装置に固有の値を前記ログ情報として生成する
ことを特徴とする映像データ処理装置。
【請求項３】
請求項１に記載の映像データ処理装置において、
前記ログ生成部は、
前記シンク機器のＥＤＩＤ（Extended Display Identification Data）に含まれる値の一部又は全部の合計を前記ログ情報として生成する
ことを特徴とする映像データ処理装置。
【請求項４】
ソース機器から受信した映像データで表される映像を表示する映像データ処理装置であって、
前記ソース機器から送信されたログ情報を受信するログ送受信部と、
前記ログ情報を格納する格納部とを備え、
前記ログ送受信部は、
前記ソース機器と当該映像データ処理装置との間で起動シーケンスが開始されると、前記格納部に格納された前記ログ情報を前記ソース機器に送信する
映像データ処理装置。
【請求項５】
請求項４に記載の映像データ処理装置において、
前記格納部は、
前記ソース機器から送信された映像のフォーマットを示すソース機器情報を格納し、
当該映像データ処理装置は、
以前に前記ソース機器に接続された時のソース機器情報が前記格納部から読み出された場合には、前記以前に前記ソース機器に接続された時のソース機器情報に従って表示設定を行う
ことを特徴とする映像データ処理装置。
【請求項６】
シンク機器に映像データを送信する映像データ処理方法であって、
ログ情報を生成するログ生成ステップと、
前記シンク機器が表示可能な映像のフォーマットを示すシンク機器情報を前記シンク機器から受信し、格納する格納ステップと、
前記シンク機器に格納されたログ情報を受信するログ受信ステップと、
前記ログ生成ステップで生成されたログ情報と前記シンク機器に格納されたログ情報とが一致するか否かを判定するログ比較ステップと、
前記ログ比較ステップで一致すると判定された場合には、前記シンク機器情報に従って前記シンク機器に映像データを送信するステップと、
前記ログ生成ステップで生成されたログ情報を前記シンク機器に送信するログ送信ステップとを備える
ことを特徴とする映像データ処理方法。
【発明の詳細な説明】
【技術分野】
【０００１】
本発明は、映像データを送信又は受信する映像データ処理装置に関する。
【背景技術】
【０００２】
近年、デジタル映像／音声信号を伝送するための規格としてＨＤＭＩ（High-Definition Multimedia Interface）が用いられている。ＨＤＭＩ伝送方式で接続された機器において、映像等が出力されるまでの通常の動作について説明する。映像データを出力する機器はソース（Source）機器、映像データが入力される機器はシンク（Sink）機器と呼ばれる。【０００３】
ソース機器は、ＨＰＤ（Hot Plug Detect）信号を検出し、その後、シンク機器からＥＤＩＤ（Extended Display Identification Data）を取得する。このＥＤＩＤにより、ソース機器は、シンク機器が出力可能な映像／音声情報等のフォーマットを認識する。ＨＰＤ信号は、シンク機器のＥＤＩＤが正しく読めるか否かを示す。ＥＤＩＤの規格上の最大サイズは、128Bytes＊256ブロック＝32768Bytesであり、ＥＤＩＤの読み出しはＤＤＣ（Display Data Channel）通信(例えば100kbps)によって行われる。【０００４】
次に、ソース機器は、ＨＤＣＰ（High-bandwidth Digital Content Protection）レジスタにアクセスするためのＴＭＤＳ（Transition Minimized Differential Signaling）信号を出力する。ソース機器は、ＤＤＣ通信によってＨＤＣＰ情報にアクセスし、ＨＤＣＰに対応しているか否か等のシンク機器についての情報を取得する。その後、ソース機器は、シンク機器に表示用のＴＭＤＳ信号を出力し、これまでに取得した情報を用いてシンク−ソース間でＨＤＣＰ認証を行う。認証が成立した場合には、映像／音声が出力される。【０００５】
関連する技術が、例えば特許文献１に開示されている。
【先行技術文献】
【特許文献】
【０００６】
【特許文献１】特開２００６−２８７３６４号公報
【発明の概要】
【発明が解決しようとする課題】
【０００７】
しかし、ＥＤＩＤのデータ量が多いので、その読み出しには時間がかかる。このため、ソース機器がデータの送信を始めた後、シンク機器から映像／音声が出力され始めるまでにある程度の時間を要してしまう。また、ＨＤＣＰレジスタにアクセスするためのＴＭＤＳ信号にシンク機器が対応していない場合には、この信号がノイズとなって出力されることがある。【０００８】
本発明は、ＨＤＭＩ伝送方式によって映像データを送受信する場合に、映像／音声が出力され始めるまでの時間を短縮することを目的とする。
【課題を解決するための手段】
【０００９】
本発明の実施形態による映像データ処理装置は、シンク機器に映像データを送信する映像データ処理装置であって、ログ情報を生成するログ生成部と、前記シンク機器が表示可能な映像のフォーマットを示すシンク機器情報を前記シンク機器から受信し、格納するメモリと、前記シンク機器に格納されたログ情報を受信するログ受信部と、前記ログ生成部が生成したログ情報と前記シンク機器に格納されたログ情報とが一致するか否かを判定するログ比較部と、前記ログ生成部が生成したログ情報を前記シンク機器に送信するログ送信部とを有する。前記ログ比較部で一致すると判定された場合には、前記メモリ内の前記シンク機器情報に従って前記シンク機器に映像データを送信する。【００１０】
これによると、現在のログ情報とシンク機器に格納されたログ情報とが一致する場合には、メモリ内のシンク機器情報に従ってシンク機器に映像データが出力されるので、シンク機器情報をシンク機器から読み出す必要がない。このため、映像／音声が出力され始めるまでの時間を短縮することができる。【００１１】
また、本発明の実施形態による他の映像データ処理装置は、ソース機器から受信した映像データで表される映像を表示する映像データ処理装置であって、前記ソース機器から送信されたログ情報を受信するログ送受信部と、前記ログ情報を格納する格納部とを有する。前記ログ送受信部は、前記ソース機器と当該映像データ処理装置との間で起動シーケンスが開始されると、前記格納部に格納された前記ログ情報を前記ソース機器に送信する。【００１２】
これによると、ソース機器に新たに接続された場合には、格納部に格納されたログ情報がソース機器に送信されるので、ソース機器において、現在のログ情報と格納部に格納されたログ情報とが一致するか否かを判定することができる。【００１３】
本発明の実施形態による映像データ処理方法は、シンク機器に映像データを送信する映像データ処理方法であって、ログ情報を生成するログ生成ステップと、前記シンク機器が表示可能な映像のフォーマットを示すシンク機器情報を前記シンク機器から受信し、格納する格納ステップと、前記シンク機器に格納されたログ情報を受信するログ受信ステップと、前記ログ生成ステップで生成されたログ情報と前記シンク機器に格納されたログ情報とが一致するか否かを判定するログ比較ステップと、前記ログ比較ステップで一致すると判定された場合には、前記シンク機器情報に従って前記シンク機器に映像データを送信するステップと、前記ログ生成ステップで生成されたログ情報を前記シンク機器に送信するログ送信ステップとを有する。
【発明の効果】
【００１４】
本発明の実施形態によれば、ＨＤＭＩ伝送方式によって映像データを送受信する場合に、映像／音声が出力され始めるまでの時間を短縮することができる。
【図面の簡単な説明】
【００１５】
【図１】図１は、本発明の実施形態に係る映像データ処理システムの構成を示すブロック図である。
【図２】図２は、図１のソース機器における起動シーケンスを示すフローチャートである。
【図３】図３は、図２のログ書き込み処理のフローチャートである。
【図４】図４は、図１の映像データ処理システムの変形例の構成を示すブロック図である。
【図５】図５は、図４のソース機器における起動シーケンスを示すフローチャートである。
【図６】図６は、図５のシンク機器における起動シーケンスを示すフローチャートである。
【図７】図７は、図５のソース機器情報書き込み処理のフローチャートである。
【発明を実施するための形態】
【００１６】
以下、本発明の実施の形態について、図面を参照しながら説明する。
【００１７】
図１は、本発明の実施形態に係る映像データ処理システムの構成を示すブロック図である。図１の映像データ処理システムは、ＨＤＭＩケーブル２で接続されたソース（Source）機器１０及びシンク（Sink）機器５０を有している。
【００１８】
ソース機器１０は、シンク機器５０にＨＤＭＩ伝送方式で映像データ及び音声データを送信する映像データ処理装置であり、例えばＤＶＤ（Digital Versatile Disc）／ＨＤＤ（Hard Disk Drive）レコーダである。シンク機器５０は、ソース機器１０からＨＤＭＩ伝送方式で映像データ及び音声データを受信する映像データ処理装置であり、例えばデジタルテレビジョン受像機である。ＨＤＭＩケーブル２は、ＨＤＭＩ規格で定義されており、ソース機器１０がＥＤＩＤの読み出しに使用するＤＤＣ通信用ラインを有する。
【００１９】
ソース機器１０は、メモリ１２と、ＣＰＵ１４と、送信部１６とを有している。ＣＰＵ１４は、ログ生成部２２と、ログ比較部２４とを有する。送信部１６は、ログ送信部３２と、ログ受信部３４と、ＥＤＩＤ読み出し部３６とを有する。
【００２０】
シンク機器５０は、受信部５２と、ログ送受信部５４と、ＥＤＩＤ格納部５６とを有している。また、特に図示しないが、シンク機器５０は、映像を表示する表示部及び音声を出力する音声出力部を有している。
【００２１】
ログ生成部２２は、ログ情報として、ソース機器１０を示す値を生成する。この値は、ソース機器１０を特定することが可能な値、例えば、ソース機器１０に固有の値である。ログ送信部３２は、ソース機器１０とシンク機器５０との間の接続が確立してから切断されるまでに、シンク機器５０にログ生成部２２で生成されたログ情報を送信する。ログ受信部３４は、ソース機器１０とシンク機器５０との間の接続が確立してから映像が表示されるまでに、シンク機器５０のＥＤＩＤ格納部５６に格納されているログ情報を受信する。このログ情報は、前回接続時にログ送信部３２からシンク機器５０に送信されたログ情報である。
【００２２】
メモリ１２は、シンク機器５０からシンク機器情報を受信し、ログ生成部２２で生成されたログ情報とともに格納する。シンク機器情報は、シンク機器５０が表示可能な映像のフォーマット等を示す情報であって、ＥＤＩＤの少なくとも一部を含んでいる。メモリ１２は、新たにシンク機器情報が書き込まれるまでは、前回接続時にシンク機器５０から受信したシンク機器情報を格納している。ログ比較部２４は、ログ生成部２２で生成されてメモリ１２に格納されたログ情報と、ログ受信部３４で受信されたログ情報とを比較し、両者が一致するか否かを判定する。ＥＤＩＤ格納部５６は、シンク機器５０のＥＤＩＤを格納している。ＥＤＩＤ読み出し部３６は、ＥＤＩＤ格納部５６から、シンク機器５０のＥＤＩＤを読み出す。
【００２３】
ログ送受信部５４は、ソース機器１０とシンク機器５０の接続が確立してから切断されるまでに、ログ送信部３２及びログ受信部３４との間でログ情報の送信及び受信を行う。ＥＤＩＤ格納部５６は、ログ送信部３２からログ送受信部５４に送信されたログ情報を格納する。
【００２４】
図２は、図１のソース機器１０における起動シーケンスを示すフローチャートである。図２のようにソース機器１０とシンク機器５０との間で起動シーケンスが開始されると、ステップＳ１２では、シンク機器５０のログ送受信部５４は、ＥＤＩＤ格納部５６に格納されたログ情報をソース機器１０のログ受信部３４に送信し、ログ受信部３４は、このログ情報を受信してログ比較部２４に出力する。ステップＳ１４では、ログ比較部２４は、ログ生成部２２による演算、又はステップＳ１２で取得したログ情報によって、メモリ１２内のログ情報が有効か否かを判定する。ログ情報が有効な場合にはステップＳ１６に進み、有効ではない場合にはステップＳ１８に進む。
【００２５】
ステップＳ１６では、ログ比較部２４は、ステップＳ１２で取得したログ情報と、メモリ１２内のログ情報とを比較する。比較されたログ情報が一致した場合にはステップＳ２０に進み、一致しなかった場合にはステップＳ１８に進む。ステップＳ１８では、ＥＤＩＤ読み出し部３６は、シンク機器５０のＥＤＩＤ格納部５６からＥＤＩＤを読み出す。ステップＳ２０では、ＥＤＩＤ読み出し部３６は、シンク機器５０からのＥＤＩＤの読み出しは行わず、メモリ１２に格納されているシンク機器情報を読み出す。
【００２６】
ステップＳ２２では、送信部１６は、シンク機器５０のＨＤＣＰレジスタにアクセスするためのＨＤＣＰ確認用ＴＭＤＳ信号を、シンク機器５０に出力する。ステップＳ２４では、送信部１６は、ＨＤＣＰレジスタへのアクセス結果から、シンク機器５０がＨＤＣＰに対応しているか否かを判断し、その結果をシンク機器情報に含めさせ、シンク機器情報を確定する。ステップＳ２６では、送信部１６は、シンク機器５０に表示されるべき映像及び出力されるべき音声のデータを、メモリ１２から読み出されたシンク機器情報に従って、表示用のＴＭＤＳ信号として受信部５２に出力する。
【００２７】
ステップＳ２８では、受信部５２は、送信部１６からＴＭＤＳ信号で伝送された映像データ及び音声データを受信する。シンク機器５０は、受信した映像データで表される映像の表示部への表示、及び、受信した音声データで表される音声の音声出力部からの出力を開始する。ステップＳ３０では、ログ生成部２２は、ログ情報を生成し、メモリ１２に格納させる。また、ＣＰＵ１４は、シンク機器情報をメモリ１２に格納させる。このステップの処理は、ステップＳ２４より後であれば可能である。ステップＳ３２では、ログ書き込み処理が行われる。
【００２８】
図３は、図２のログ書き込み処理のフローチャートである。図３のステップＳ４２では、ログ比較部２４は、ステップＳ１２で読み出されたログ情報と、ステップＳ３０で生成されたログ情報とを比較する。両者が一致した場合には、図３の処理を終了する。両者が一致しなかった場合には、ステップＳ４４に進む。
【００２９】
ステップＳ４４では、ログ送信部３２は、ログ送受信部５４にログ情報を送信する。ログ送受信部５４は、ログ送信部３２から送信されたログ情報を受信し、ＥＤＩＤ格納部５６に書き込む。
【００３０】
このように、図１のソース機器１０及びシンク機器５０によると、ソース機器１０に格納されているログ情報とシンク機器５０に格納されているログ情報とが一致する場合には、シンク機器５０からＥＤＩＤを読み出す必要がないので、映像／音声が出力され始めるまでの時間を短縮することができる。
【００３１】
なお、ステップＳ４４において、ログ生成部２２は、シンク機器５０のＥＤＩＤに含まれる値の一部又は全ての合計をログ情報として生成してもよい。この場合、ステップＳ４４においてログ生成部２２は、生成されたログ情報を、ログ送受信部５４に送信し、かつ、メモリ１２に格納させる。
【００３２】
ログ送受信部５４に送信されるログ情報をメモリ１２に格納させてもよく、この場合、ログ生成部２２は、任意の値をログ情報として生成してもよい。
【００３３】
図４は、図１の映像データ処理システムの変形例の構成を示すブロック図である。図４の映像データ処理システムは、ソース機器２１０及びシンク機器２５０をソース機器１０及びシンク機器５０に代えて有する点が、図１の映像データ処理システムとは異なっている。ソース機器２１０は、ＣＰＵ２１４をＣＰＵ１４に代えて有する点が、ソース機器１０とは異なっている。シンク機器２５０は、ソース機器情報を格納するＥＤＩＤ格納部２５６をＥＤＩＤ格納部５６に代えて有する点が、シンク機器５０とは異なっている。
【００３４】
図５は、図４のソース機器２１０における起動シーケンスを示すフローチャートである。図５のフローチャートは、ステップＳ２０の後にステップＳ２４が行われる点と、ソース機器情報書き込み処理ステップＳ５４を有する点の他は、図２のフローチャートと同様である。
【００３５】
以前にソース機器２１０に接続されたことがあるシンク機器２５０が再び接続された場合や、ソース機器２１０とシンク機器２５０との間での起動シーケンスが再び行われる場合に、ステップＳ２０の処理が行われる。この場合には、シンク機器２５０がＨＤＣＰに対応していることは既に確認済みであるので、ステップＳ２２の処理を行わないようにしている。送信部１６が、シンク機器５０のＨＤＣＰレジスタにアクセスするためのＨＤＣＰ確認用ＴＭＤＳ信号をシンク機器５０に出力しないので、このＴＭＤＳ信号がノイズとして出力されることを防止することができる。
【００３６】
図６は、図５のシンク機器２５０における起動シーケンスを示すフローチャートである。図５のステップＳ２２で出力されるＴＭＤＳ信号と、ステップＳ２６で出力されるＴＭＤＳ信号とが異なる場合には、ＴＭＤＳ信号が切り替わり、切り替わり時にノイズが出力されることがある。そこで、これらのＴＭＤＳ信号を同じ信号にするために、シンク機器２５０は、図６の起動シーケンスで画面表示及び音声出力の設定を行う。
【００３７】
図６のステップＳ６２では、シンク機器２５０は、ＥＤＩＤ格納部２５６からソース機器情報を読み出す。このソース機器情報には、今までにシンク機器２５０に接続されたことがあるソース機器から送信された映像のフォーマット等を示す情報が含まれている。ステップＳ６４では、シンク機器２５０は、ＥＤＩＤ格納部２５６から読み出されたソース機器情報が有効であるか否か、すなわち、以前にソース機器２１０に接続された時のソース機器情報が読み出されたか否かを判断する。読み出された場合にはステップＳ６６に進み、読み出されていない場合にはステップＳ６８に進む。
【００３８】
ステップＳ６６では、シンク機器２５０は、ＥＤＩＤ格納部２５６から読み出されたソース機器情報に従って画面表示及び音声出力の設定を行う。ステップＳ６８では、シンク機器２５０は、ソース機器２１０からＴＭＤＳ信号によってソース機器情報を受信し、これに従って画面表示及び音声出力の設定を行う。ステップＳ６９では、シンク機器２５０は、ＴＭＤＳ信号によって受信した映像を表示する。
【００３９】
図７は、図５のソース機器情報書き込み処理のフローチャートである。図７のステップＳ７２では、ＣＰＵ２１４は、図５のステップＳ２６でＴＭＤＳ信号が生成されたか否かを判定する。生成された場合にはステップＳ７２に進み、生成されなかった場合にはソース機器情報書き込み処理を終了する。ステップＳ７２では、ログ送受信部５４は、ソース機器２１０から受信したソース機器情報をＥＤＩＤ格納部２５６に書き込む。
【００４０】
このように、シンク機器２５０は、ＥＤＩＤ格納部２５６から読み出されたソース機器情報が有効である場合には、ソース機器２１０から受信したＴＭＤＳ信号を用いずに、読み出されたソース機器情報に従って画面表示等の設定をする。このため、画面表示や音声出力が開始されるまでの時間を短縮することができるだけではなく、ＴＭＤＳ信号の切り替わりによるノイズが出力されないようにすることもできる。
【産業上の利用可能性】
【００４１】
以上説明したように、本発明の実施形態によると映像／音声が出力され始めるまでの時間を短縮することができるので、本発明は、映像データ処理装置等について有用である。
【符号の説明】
【００４２】
１０，２１０  ソース機器（映像データ処理装置）
１２  メモリ
２２  ログ生成部
２４  ログ比較部
３２  ログ送信部
３４  ログ受信部
５０，２５０  シンク機器（映像データ処理装置）
５４  ログ送受信部
５６，２５６  ＥＤＩＤ格納部（格納部）
【図１】
2010007751.tif 000003
【図２】
2010007751.tif 000004
【図３】
2010007751.tif 000005
【図４】
2010007751.tif 000006
【図５】
2010007751.tif 000007
【図６】
2010007751.tif 000008
【図７】
2010007751.tif 000009
【手続補正書】
【提出日】平成22年10月21日(2010.10.21)
【手続補正１】
【補正対象書類名】明細書
【補正対象項目名】全文
【補正方法】変更
【補正の内容】
【発明の詳細な説明】
【技術分野】
【０００１】
本発明は、映像データを送信又は受信する映像データ処理装置に関する。
【背景技術】
【０００２】
近年、デジタル映像／音声信号を伝送するための規格としてＨＤＭＩ（High-Definition Multimedia Interface）が用いられている。ＨＤＭＩ伝送方式で接続された機器において、映像等が出力されるまでの通常の動作について説明する。映像データを出力する機器はソース（Source）機器、映像データが入力される機器はシンク（Sink）機器と呼ばれる。
【０００３】
ソース機器は、ＨＰＤ（Hot Plug Detect）信号を検出し、その後、シンク機器からＥＤＩＤ（Extended Display Identification Data）を取得する。このＥＤＩＤにより、ソース機器は、シンク機器が出力可能な映像／音声情報等のフォーマットを認識する。ＨＰＤ信号は、シンク機器のＥＤＩＤが正しく読めるか否かを示す。ＥＤＩＤの規格上の最大サイズは、128Bytes＊256ブロック＝32768Bytesであり、ＥＤＩＤの読み出しはＤＤＣ（Display Data Channel）通信(例えば100kbps)によって行われる。
【０００４】
次に、ソース機器は、ＨＤＣＰ（High-bandwidth Digital Content Protection）レジスタにアクセスするためのＴＭＤＳ（Transition Minimized Differential Signaling）信号を出力する。ソース機器は、ＤＤＣ通信によってＨＤＣＰ情報にアクセスし、ＨＤＣＰに対応しているか否か等のシンク機器についての情報を取得する。その後、ソース機器は、シンク機器に表示用のＴＭＤＳ信号を出力し、これまでに取得した情報を用いてシンク−ソース間でＨＤＣＰ認証を行う。認証が成立した場合には、映像／音声が出力される。
【０００５】
関連する技術が、例えば特許文献１に開示されている。
【先行技術文献】
【特許文献】
【０００６】
【特許文献１】特開２００６−２８７３６４号公報
【発明の概要】
【発明が解決しようとする課題】
【０００７】
しかし、ＥＤＩＤのデータ量が多いので、その読み出しには時間がかかる。このため、ソース機器がデータの送信を始めた後、シンク機器から映像／音声が出力され始めるまでにある程度の時間を要してしまう。また、ＨＤＣＰレジスタにアクセスするためのＴＭＤＳ信号にシンク機器が対応していない場合には、この信号がノイズとなって出力されることがある。
【０００８】
本発明は、ＨＤＭＩ伝送方式によって映像データを送受信する場合に、映像／音声が出力され始めるまでの時間を短縮することを目的とする。
【課題を解決するための手段】
【０００９】
本発明の実施形態による映像データ処理装置は、シンク機器に映像データを送信する映像データ処理装置であって、ログ情報を生成するログ生成部と、前記シンク機器が表示可能な映像のフォーマットを示すシンク機器情報を前記シンク機器から受信し、格納するメモリと、前記シンク機器に格納されたログ情報を受信するログ受信部と、前記ログ生成部が生成したログ情報と前記シンク機器に格納されたログ情報とが一致するか否かを判定するログ比較部と、前記ログ生成部が生成したログ情報を前記シンク機器に送信するログ送信部とを有する。前記ログ比較部で一致すると判定された場合には、前記メモリ内の前記シンク機器情報に従って前記シンク機器に映像データを送信する。
【００１０】
これによると、現在のログ情報とシンク機器に格納されたログ情報とが一致する場合には、メモリ内のシンク機器情報に従ってシンク機器に映像データが出力されるので、シンク機器情報をシンク機器から読み出す必要がない。このため、映像／音声が出力され始めるまでの時間を短縮することができる。
【００１１】
また、本発明の実施形態による他の映像データ処理装置は、ソース機器から受信した映像データで表される映像を表示する映像データ処理装置であって、前記ソース機器から送信されたログ情報を受信するログ送受信部と、前記ログ情報を格納する格納部とを有する。前記ログ送受信部は、前記ソース機器と当該映像データ処理装置との間で起動シーケンスが開始されると、前記格納部に格納された前記ログ情報を前記ソース機器に送信する。
【００１２】
これによると、ソース機器に新たに接続された場合には、格納部に格納されたログ情報がソース機器に送信されるので、ソース機器において、現在のログ情報と格納部に格納されたログ情報とが一致するか否かを判定することができる。
【００１３】
本発明の実施形態による映像データ処理方法は、シンク機器に映像データを送信する映像データ処理方法であって、ログ情報を生成するログ生成ステップと、前記シンク機器が表示可能な映像のフォーマットを示すシンク機器情報を前記シンク機器から受信し、格納する格納ステップと、前記シンク機器に格納されたログ情報を受信するログ受信ステップと、前記ログ生成ステップで生成されたログ情報と前記シンク機器に格納されたログ情報とが一致するか否かを判定するログ比較ステップと、前記ログ比較ステップで一致すると判定された場合には、前記シンク機器情報に従って前記シンク機器に映像データを送信するステップと、前記ログ生成ステップで生成されたログ情報を前記シンク機器に送信するログ送信ステップとを有する。
【発明の効果】
【００１４】
本発明の実施形態によれば、ＨＤＭＩ伝送方式によって映像データを送受信する場合に、映像／音声が出力され始めるまでの時間を短縮することができる。
【図面の簡単な説明】
【００１５】
【図１】本発明の実施形態に係る映像データ処理システムの構成を示すブロック図である。
【図２】図１のソース機器における起動シーケンスを示すフローチャートである。
【図３】図２のログ書き込み処理のフローチャートである。
【図４】図１の映像データ処理システムの変形例の構成を示すブロック図である。
【図５】図４のソース機器における起動シーケンスを示すフローチャートである。
【図６】図５のシンク機器における起動シーケンスを示すフローチャートである。
【図７】図５のソース機器情報書き込み処理のフローチャートである。
【発明を実施するための形態】
【００１６】
以下、本発明の実施の形態について、図面を参照しながら説明する。
【００１７】
図１は、本発明の実施形態に係る映像データ処理システムの構成を示すブロック図である。図１の映像データ処理システムは、ＨＤＭＩケーブル２で接続されたソース（Source）機器１０及びシンク（Sink）機器５０を有している。
【００１８】
ソース機器１０は、シンク機器５０にＨＤＭＩ伝送方式で映像データ及び音声データを送信する映像データ処理装置であり、例えばＤＶＤ（Digital Versatile Disc）／ＨＤＤ（Hard Disk Drive）レコーダである。シンク機器５０は、ソース機器１０からＨＤＭＩ伝送方式で映像データ及び音声データを受信する映像データ処理装置であり、例えばデジタルテレビジョン受像機である。ＨＤＭＩケーブル２は、ＨＤＭＩ規格で定義されており、ソース機器１０がＥＤＩＤの読み出しに使用するＤＤＣ通信用ラインを有する。
【００１９】
ソース機器１０は、メモリ１２と、ＣＰＵ１４と、送信部１６とを有している。ＣＰＵ１４は、ログ生成部２２と、ログ比較部２４とを有する。送信部１６は、ログ送信部３２と、ログ受信部３４と、ＥＤＩＤ読み出し部３６とを有する。
【００２０】
シンク機器５０は、受信部５２と、ログ送受信部５４と、ＥＤＩＤ格納部５６とを有している。また、特に図示しないが、シンク機器５０は、映像を表示する表示部及び音声を出力する音声出力部を有している。
【００２１】
ログ生成部２２は、ログ情報として、ソース機器１０を示す値を生成する。この値は、ソース機器１０を特定することが可能な値、例えば、ソース機器１０に固有の値である。ログ送信部３２は、ソース機器１０とシンク機器５０との間の接続が確立してから切断されるまでに、シンク機器５０にログ生成部２２で生成されたログ情報を送信する。ログ受信部３４は、ソース機器１０とシンク機器５０との間の接続が確立してから映像が表示されるまでに、シンク機器５０のＥＤＩＤ格納部５６に格納されているログ情報を受信する。このログ情報は、前回接続時にログ送信部３２からシンク機器５０に送信されたログ情報である。
【００２２】
メモリ１２は、シンク機器５０からシンク機器情報を受信し、ログ生成部２２で生成されたログ情報とともに格納する。シンク機器情報は、シンク機器５０が表示可能な映像のフォーマット等を示す情報であって、ＥＤＩＤの少なくとも一部を含んでいる。メモリ１２は、新たにシンク機器情報が書き込まれるまでは、前回接続時にシンク機器５０から受信したシンク機器情報を格納している。ログ比較部２４は、ログ生成部２２で生成されてメモリ１２に格納されたログ情報と、ログ受信部３４で受信されたログ情報とを比較し、両者が一致するか否かを判定する。ＥＤＩＤ格納部５６は、シンク機器５０のＥＤＩＤを格納している。ＥＤＩＤ読み出し部３６は、ＥＤＩＤ格納部５６から、シンク機器５０のＥＤＩＤを読み出す。
【００２３】
ログ送受信部５４は、ソース機器１０とシンク機器５０の接続が確立してから切断されるまでに、ログ送信部３２及びログ受信部３４との間でログ情報の送信及び受信を行う。ＥＤＩＤ格納部５６は、ログ送信部３２からログ送受信部５４に送信されたログ情報を格納する。
【００２４】
図２は、図１のソース機器１０における起動シーケンスを示すフローチャートである。図２のようにソース機器１０とシンク機器５０との間で起動シーケンスが開始されると、ステップＳ１２では、シンク機器５０のログ送受信部５４は、ＥＤＩＤ格納部５６に格納されたログ情報をソース機器１０のログ受信部３４に送信し、ログ受信部３４は、このログ情報を受信してログ比較部２４に出力する。ステップＳ１４では、ログ比較部２４は、ログ生成部２２による演算、又はステップＳ１２で取得したログ情報によって、メモリ１２内のログ情報が有効か否かを判定する。ログ情報が有効な場合にはステップＳ１６に進み、有効ではない場合にはステップＳ１８に進む。
【００２５】
ステップＳ１６では、ログ比較部２４は、ステップＳ１２で取得したログ情報と、メモリ１２内のログ情報とを比較する。比較されたログ情報が一致した場合にはステップＳ２０に進み、一致しなかった場合にはステップＳ１８に進む。ステップＳ１８では、ＥＤＩＤ読み出し部３６は、シンク機器５０のＥＤＩＤ格納部５６からＥＤＩＤを読み出す。ステップＳ２０では、ＥＤＩＤ読み出し部３６は、シンク機器５０からのＥＤＩＤの読み出しは行わず、メモリ１２に格納されているシンク機器情報を読み出す。
【００２６】
ステップＳ２２では、送信部１６は、シンク機器５０のＨＤＣＰレジスタにアクセスするためのＨＤＣＰ確認用ＴＭＤＳ信号を、シンク機器５０に出力する。ステップＳ２４では、送信部１６は、ＨＤＣＰレジスタへのアクセス結果から、シンク機器５０がＨＤＣＰに対応しているか否かを判断し、その結果をシンク機器情報に含めさせ、シンク機器情報を確定する。ステップＳ２６では、送信部１６は、シンク機器５０に表示されるべき映像及び出力されるべき音声のデータを、メモリ１２から読み出されたシンク機器情報に従って、表示用のＴＭＤＳ信号として受信部５２に出力する。
【００２７】
ステップＳ２８では、受信部５２は、送信部１６からＴＭＤＳ信号で伝送された映像データ及び音声データを受信する。シンク機器５０は、受信した映像データで表される映像の表示部への表示、及び、受信した音声データで表される音声の音声出力部からの出力を開始する。ステップＳ３０では、ログ生成部２２は、ログ情報を生成し、メモリ１２に格納させる。また、ＣＰＵ１４は、シンク機器情報をメモリ１２に格納させる。このステップの処理は、ステップＳ２４より後であれば可能である。ステップＳ３２では、ログ書き込み処理が行われる。
【００２８】
図３は、図２のログ書き込み処理のフローチャートである。図３のステップＳ４２では、ログ比較部２４は、ステップＳ１２で読み出されたログ情報と、ステップＳ３０で生成されたログ情報とを比較する。両者が一致した場合には、図３の処理を終了する。両者が一致しなかった場合には、ステップＳ４４に進む。
【００２９】
ステップＳ４４では、ログ送信部３２は、ログ送受信部５４にログ情報を送信する。ログ送受信部５４は、ログ送信部３２から送信されたログ情報を受信し、ＥＤＩＤ格納部５６に書き込む。
【００３０】
このように、図１のソース機器１０及びシンク機器５０によると、ソース機器１０に格納されているログ情報とシンク機器５０に格納されているログ情報とが一致する場合には、シンク機器５０からＥＤＩＤを読み出す必要がないので、映像／音声が出力され始めるまでの時間を短縮することができる。
【００３１】
なお、ステップＳ４４において、ログ生成部２２は、シンク機器５０のＥＤＩＤに含まれる値の一部又は全ての合計をログ情報として生成してもよい。この場合、ステップＳ４４においてログ生成部２２は、生成されたログ情報を、ログ送受信部５４に送信し、かつ、メモリ１２に格納させる。
【００３２】
ログ送受信部５４に送信されるログ情報をメモリ１２に格納させてもよく、この場合、ログ生成部２２は、任意の値をログ情報として生成してもよい。
【００３３】
図４は、図１の映像データ処理システムの変形例の構成を示すブロック図である。図４の映像データ処理システムは、ソース機器２１０及びシンク機器２５０をソース機器１０及びシンク機器５０に代えて有する点が、図１の映像データ処理システムとは異なっている。ソース機器２１０は、ＣＰＵ２１４をＣＰＵ１４に代えて有する点が、ソース機器１０とは異なっている。シンク機器２５０は、ソース機器情報を格納するＥＤＩＤ格納部２５６をＥＤＩＤ格納部５６に代えて有する点が、シンク機器５０とは異なっている。
【００３４】
図５は、図４のソース機器２１０における起動シーケンスを示すフローチャートである。図５のフローチャートは、ステップＳ２０の後にステップＳ２４が行われる点と、ソース機器情報書き込み処理ステップＳ５４を有する点の他は、図２のフローチャートと同様である。
【００３５】
以前にソース機器２１０に接続されたことがあるシンク機器２５０が再び接続された場合や、ソース機器２１０とシンク機器２５０との間での起動シーケンスが再び行われる場合に、ステップＳ２０の処理が行われる。この場合には、シンク機器２５０がＨＤＣＰに対応していることは既に確認済みであるので、ステップＳ２２の処理を行わないようにしている。送信部１６が、シンク機器５０のＨＤＣＰレジスタにアクセスするためのＨＤＣＰ確認用ＴＭＤＳ信号をシンク機器５０に出力しないので、このＴＭＤＳ信号がノイズとして出力されることを防止することができる。
【００３６】
図６は、図５のシンク機器２５０における起動シーケンスを示すフローチャートである。図５のステップＳ２２で出力されるＴＭＤＳ信号と、ステップＳ２６で出力されるＴＭＤＳ信号とが異なる場合には、ＴＭＤＳ信号が切り替わり、切り替わり時にノイズが出力されることがある。そこで、これらのＴＭＤＳ信号を同じ信号にするために、シンク機器２５０は、図６の起動シーケンスで画面表示及び音声出力の設定を行う。
【００３７】
図６のステップＳ６２では、シンク機器２５０は、ＥＤＩＤ格納部２５６からソース機器情報を読み出す。このソース機器情報には、今までにシンク機器２５０に接続されたことがあるソース機器から送信された映像のフォーマット等を示す情報が含まれている。ステップＳ６４では、シンク機器２５０は、ＥＤＩＤ格納部２５６から読み出されたソース機器情報が有効であるか否か、すなわち、以前にソース機器２１０に接続された時のソース機器情報が読み出されたか否かを判断する。読み出された場合にはステップＳ６６に進み、読み出されていない場合にはステップＳ６８に進む。
【００３８】
ステップＳ６６では、シンク機器２５０は、ＥＤＩＤ格納部２５６から読み出されたソース機器情報に従って画面表示及び音声出力の設定を行う。ステップＳ６８では、シンク機器２５０は、ソース機器２１０からＴＭＤＳ信号によってソース機器情報を受信し、これに従って画面表示及び音声出力の設定を行う。ステップＳ６９では、シンク機器２５０は、ＴＭＤＳ信号によって受信した映像を表示する。
【００３９】
図７は、図５のソース機器情報書き込み処理のフローチャートである。図７のステップＳ７２では、ＣＰＵ２１４は、図５のステップＳ２６でＴＭＤＳ信号が生成されたか否かを判定する。生成された場合にはステップＳ７２に進み、生成されなかった場合にはソース機器情報書き込み処理を終了する。ステップＳ７２では、ログ送受信部５４は、ソース機器２１０から受信したソース機器情報をＥＤＩＤ格納部２５６に書き込む。
【００４０】
このように、シンク機器２５０は、ＥＤＩＤ格納部２５６から読み出されたソース機器情報が有効である場合には、ソース機器２１０から受信したＴＭＤＳ信号を用いずに、読み出されたソース機器情報に従って画面表示等の設定をする。このため、画面表示や音声出力が開始されるまでの時間を短縮することができるだけではなく、ＴＭＤＳ信号の切り替わりによるノイズが出力されないようにすることもできる。
【産業上の利用可能性】
【００４１】
以上説明したように、本発明の実施形態によると映像／音声が出力され始めるまでの時間を短縮することができるので、本発明は、映像データ処理装置等について有用である。
【符号の説明】
【００４２】
１０，２１０  ソース機器（映像データ処理装置）
１２  メモリ
２２  ログ生成部
２４  ログ比較部
３２  ログ送信部
３４  ログ受信部
５０，２５０  シンク機器（映像データ処理装置）
５４  ログ送受信部
５６，２５６  ＥＤＩＤ格納部（格納部）
【手続補正２】
【補正対象書類名】特許請求の範囲
【補正対象項目名】全文
【補正方法】変更
【補正の内容】
【特許請求の範囲】
【請求項１】
シンク機器に映像データを送信する映像データ処理装置であって、
ログ情報を生成するログ生成部と、
前記シンク機器が表示可能な映像のフォーマットを示すシンク機器情報を前記シンク機器から受信し、格納するメモリと、
前記シンク機器に格納されたログ情報を受信するログ受信部と、
前記ログ生成部が生成したログ情報と前記シンク機器に格納されたログ情報とが一致するか否かを判定するログ比較部と、
前記ログ生成部が生成したログ情報を前記シンク機器に送信するログ送信部とを備え、
前記ログ比較部で一致すると判定された場合には、前記メモリ内の前記シンク機器情報に従って前記シンク機器に映像データを送信する
ことを特徴とする映像データ処理装置。
【請求項２】
請求項１に記載の映像データ処理装置において、
前記ログ生成部は、
当該映像データ処理装置に固有の値を前記ログ情報として生成する
ことを特徴とする映像データ処理装置。
【請求項３】
請求項１に記載の映像データ処理装置において、
前記ログ生成部は、
前記シンク機器のＥＤＩＤ（Extended Display Identification Data）に含まれる値の一部又は全部の合計を前記ログ情報として生成する
ことを特徴とする映像データ処理装置。
【請求項４】
ソース機器から受信した映像データで表される映像を表示する映像データ処理装置であって、
前記ソース機器から送信されたログ情報を受信するログ送受信部と、
前記ログ情報を格納する格納部とを備え、
前記ログ送受信部は、
前記ソース機器と当該映像データ処理装置との間で起動シーケンスが開始されると、前記格納部に格納された前記ログ情報を前記ソース機器に送信する
映像データ処理装置。
【請求項５】
請求項４に記載の映像データ処理装置において、
前記格納部は、
前記ソース機器から送信された映像のフォーマットを示すソース機器情報を格納し、
当該映像データ処理装置は、
以前に前記ソース機器に接続された時のソース機器情報が前記格納部から読み出された場合には、前記以前に前記ソース機器に接続された時のソース機器情報に従って表示設定を行う
ことを特徴とする映像データ処理装置。
【請求項６】
シンク機器に映像データを送信する映像データ処理方法であって、
ログ情報を生成するログ生成ステップと、
前記シンク機器が表示可能な映像のフォーマットを示すシンク機器情報を前記シンク機器から受信し、格納する格納ステップと、
前記シンク機器に格納されたログ情報を受信するログ受信ステップと、
前記ログ生成ステップで生成されたログ情報と前記シンク機器に格納されたログ情報とが一致するか否かを判定するログ比較ステップと、
前記ログ比較ステップで一致すると判定された場合には、前記シンク機器情報に従って前記シンク機器に映像データを送信するステップと、
前記ログ生成ステップで生成されたログ情報を前記シンク機器に送信するログ送信ステップとを備える
ことを特徴とする映像データ処理方法。
【手続補正３】
【補正対象書類名】図面
【補正対象項目名】全図
【補正方法】変更
【補正の内容】
【図１】
2010007751.tif 000010
【図２】
2010007751.tif 000011
【図３】
2010007751.tif 000012
【図４】
2010007751.tif 000013
【図５】
2010007751.tif 000014
【図６】
2010007751.tif 000015
【図７】
2010007751.tif 000016
【国際調査報告】
2010007751.tif 000017
2010007751.tif 000018
2010007751.tif 000019
2010007751.tif 000020